(57)【要約】 【課題】一つの器具で毛梳用の櫛状部、ブラシ部及び抜け毛掃除部として使用できるペット用毛並手入れ具を提供する。【解決手段】一定の開口部を有するケーシング１２内に、櫛状部材４２と金属線又は繊維を植設したブラシ部材４４とブラシ部より細目の金属線等を植設してなる抜け毛掃除部材４６とを備えた手入れ本体部材１４が回動可能かつ所定位置で係脱可能に固定され、前記開口部に櫛状部、ブラシ部、毛掃除部のいずれか一つを任意に選択して出現可能とし、かつ抜け毛掃除部材４６は可撓性の面状部材に前記金属線等が植設されてなり、さらにケーシング内に抜け毛除き刃７４を設けて櫛状部等に付着の抜け毛を除去可能とし、しかも抜け毛除き刃７４は手入れ本体部材１４の回動時にケーシング内のカム部材６０に押出されて抜け毛掃除部が外側に隆起され抜け毛の掻取りを容易にし、ケーシングに設けた吸引口から掃除機等で抜け毛、塵埃等を吸引除去可能とした。【選択図】        図１
2009055867.tif 000002
【特許請求の範囲】
【請求項１】
犬その他のペットの毛梳き、ブラッシング、抜け毛の掃除等毛並みの手入れをするための手入れ具であって、櫛状部を有する毛梳き部とブラッシングするためのブラシ部とペットの毛内に入り込み得る細目の金属線また繊維を多数備えた抜け毛掃除部とを少なくとも設けた手入れ本体部材が、ケーシング内で回動可能かつ所定位置で係脱可能に固定させ得ると共に、該ケーシングはその軸心方向に沿ってケーシング自体の外周部が所定幅で開口され、該開口部に面する位置に前記手入れ本体部材の毛梳き部、ブラシ部または抜け毛掃除部のいずれか一つを任意に選択して係止できるようにし、かつ手入れ本体部材はケーシング内で回動可能に支持された本体構成部の外周に毛梳き部、ブラシ部および抜け毛掃除部がそれぞれ配置されて櫛、ブラシあるいは抜け毛掃除具として使用可能とし、しかも抜け毛掃除部は本体構成部に配置された可撓性を有する板状部材上に、可撓性を有する面状の部材にブラシ部より細目の繊維もしくは金属線が多数植設されている細繊維等植設部材が配置されてなり、しかも本体構成部内にはカム部材を配置すると共に該カム部材はケーシングの両端部に取付けられた側板に位置固定に設け、手入れ本体部材とカム部材とを相対回動させたときカム部材が前記可撓性を有する板状部材に接し抜け毛掃除部を外側に拡開させるようにすると共にケーシング内には前記毛梳き部、ブラシ部または抜け毛掃除部に付着した抜け毛を除去するための抜け毛掻取部材を取付け、さらにケーシングには空気吸引機に接続可能な吸引口を設けて抜け毛、塵埃等を吸引排出できるようにした毛並手入れ具。
【請求項２】
請求項１記載の毛並み手入れ具において、毛梳き部は鋸歯状の櫛状片を設け、ケーシング内に配置すべき抜け毛掻取部材は多数の金属線もしくは繊維を一定方向に植設配列した繊維等配列形抜け毛掻取部材あるいは鋸歯状の部材を備えた鋸歯状形抜け毛掻取部材を設けるようにし、しかも鋸歯状形抜け毛掻取部材として鋸歯状部材を配置したときには手入れ本体部材の回動時に毛梳き部の櫛状片の歯先が鋸歯状形抜け毛掻取部材の歯の間を通過可能にとされ、毛梳き部、ブラシ部または抜け毛掃除部に付着した抜け毛を除去できるようにした毛並手入れ具。
【請求項３】
請求項１もしくは２記載の毛並み手入れ具において、ケーシングの吸引口に中空の把手が設けられ、該把手の端部に空気吸引機を接続可能とした毛並手入れ具。
【請求項４】
請求項１〜３のいずれか１項に記載の毛並手入れ具において、手入れ本体部の基礎をなす本体構成部は所定間隔を隔てた１対の端部部材が３つの連結部材により一体に連結されると共にこの連結部材により略三角柱状をなすように構成されてなり、さらに各連結部材の外側にそれぞれ毛梳き部、ブラシ部および抜け毛掃除部が配置されて手入れ本体部材が構成され、かつ抜け毛掃除部を配置すべき連結部材は可撓性を有する板状部材であり、しかも抜け毛掃除部を外側に拡開させるカム部材は一定の剛性を有する線状材が中間部で所定の曲線状に成形され、かつその両端の真直部分が両端部部材の中心部を貫通することにより手入れ本体部材が回動可能に支持されると共に上記線状部材の真直部分の先端部はケーシングの両端に設けた側板の中心部を貫通し、かつ少なくともその一端部が回動不能に固定されてカム部材が回動できないようにされてなり、さらに前記側板と端部部材のいずれか一方には所定の複数の係止孔を設けると共に他方の部材には前記係止孔に嵌脱可能に嵌合することによって手入れ本体部材を所定位置に係脱可能に固定させ得る係止部材を設けるようにした毛並手入れ具。
【請求項５】
請求項１〜４のいずれか１項に記載の毛並手入れ具において、外側に抜け毛掃除部を配置するための、本体構成部の連結部材に代えて直接可撓性を有する面状の部材上に金属線もしくは繊維を植設配置して抜け毛掃除部を構成するようした毛並手入れ具。
【請求項６】
請求項１〜５のいずれか１項に記載の毛並手入れ具において、外側にブラシ部を配置するための、本体構成部の連結部材として可撓性を有する板状部材を設けると共に該板状部材上に、可撓性を有する面状の部材に金属線もしくは繊維を植設してなるものを配置してブラシ部を構成し、さらに手入れ本体部材とカム部材とを相対回動させたときカム部材がそれぞれブラシ部と抜け毛掃除部を構成する前記可撓性を有する各板状部材に接しブラシ部と抜け毛掃除部を外側に拡開させるようにした毛並手入れ具。
【請求項７】
請求項１〜６のいずれか１項に記載の毛並手入れ具において、外側にブラシ部を配置するための、本体構成部の連結部材に代えて直接可撓性を有する面状の部材上に金属線もしくは繊維を植設配置してブラシ部を構成するようした毛並手入れ具。
【請求項８】
請求項４〜７のいずれか１項に記載の毛並手入れ具において、線状材を中間部で所定形状に曲成し、かつ両端の真直部は手入れ本体部材両端の貫通孔に回動可能に嵌合すると共にケーシング端部を貫通したその端部を折り曲げてケーシング端部に回転不能に取り付けるようにしたカム部材に代えて、ケーシング端部に固定した真直状の軸状材もしくはパイプ材にカムとして作用する部材を設けてカム部材とし、しかもカムとして作用する部材として、線状材を曲成してカムの輪郭を形成したもの、板材でカムの輪郭を形成したものもしくは立体的なカム輪郭を有するものを取り付けるようにした毛並手入れ具。
【請求項９】
請求項１〜８のいずれか１項に記載の毛並手入れ具において、外側にそれぞれ毛梳き部、ブラシ部および抜け毛掃除部を配置するための、本体構成部の各連結部材は一定の剛性を備え、かつカム部材を廃止するようにした毛並手入れ具。
【発明の詳細な説明】
【技術分野】
【０００１】
本発明は、犬等のペットの毛を梳り、ブラッシングしあるいは抜け毛を掃除する手入れ具に関するものであり、特に櫛状部とブラシ部と抜け毛掃除部とを備え、これらを選択的に使用できるようにしたペット用の毛並み手入れ具に関するものである。
本発明の毛並み手入れ具は、例えば犬の日常の手入れはもちろん、抜け毛が飛散する換毛期に好適に使用可能である。
【背景技術】
【０００２】
犬等のペットの毛並みをきれいに、また衛生的に維持するには日頃の手入れが大切である。さらに、毛が生え換わる時期には抜け毛が飛散して非衛生的になり易いので特に掃除等手入れが必要である。そのためには使用が容易で能率よく使用できる手入れ具が望まれるところである。そこで、抜け毛の飛散を少なくして衛生的に使用できる手入れ具が種々提案されている。例えば、特開平１１−１２３０３１に示すペットブラシや特開平１１−１７８６４３に示すペット用毛梳き具がこれである。
【０００３】
ところが、前者のブラシはブラシ材の植設された部分付近の多数の空気孔から吸い込まれた空気が中空の握り（パイプ状本体部１）を経て掃除機に吸い込まれるようにされており、空気孔から抜け毛等が吸い込まれて掃除するようにされているが、空気孔は場所的な制約を受け小さくならざるを得ないので、多数の抜け毛が一度に吸い込まれる際には、抜け毛が空気孔入り口付近で詰まり易いことからこれを取り除かなければないので作業能率が悪く、またこのブラシだけでは生えている毛の中にある抜け毛を充分掃除できないし、さらにこのブラシは櫛歯を備えていないので手入れの作業能率が良くないこと等から充分な手入れや掃除ができないという問題点がある。また、後者の毛梳き手入れ具は櫛歯１０で梳くだけであるから生えている毛の中にある抜け毛を充分掃除できないという問題点がある。
【特許文献１】特開平１１−１２３０３１
【特許文献２】特開平１１−１７８６４３
【発明の開示】
【発明が解決しようとする課題】
【０００４】
解決しようとする課題は、従来の手入れ具が有する、ペットの生えている毛の中にある抜け毛を充分取り除くことができないという問題点であり、毛並の手入れの作業能率がよくないという問題点である。本願発明はこれを解決しようとするものである。
【０００５】
本発明はこのような事情を背景としてなされたものであり、本発明の目的は、
毛梳きとブラッシングと生えている毛の中にある抜け毛の掃除とを一つの手入れ具ですることが可能であり、しかも毛の中にある抜け毛の掃除が容易で、毛並手入れの作業能率を向上させ得る犬その他のペットの毛並手入れ具を提供することである。
【課題を解決するための手段】
【０００６】
上記目的を達成するためになされた本発明は、次のように構成される。
Ａ  犬その他のペットの毛梳き、ブラッシング、抜け毛の掃除等毛並みの手入れをするための手入れ具であって、櫛状部を有する毛梳き部とブラッシングするためのブラシ部とペットの毛内に入り込み得る細目の金属線また繊維を多数備えた抜け毛掃除部とを少なくとも設けた手入れ本体部材が、ケーシング内で回動可能かつ所定位置で係脱可能に固定させ得ると共に、該ケーシングはその軸心方向に沿ってケーシング自体の外周部が所定幅で開口され、該開口部に面する位置に前記手入れ本体部材の毛梳き部、ブラシ部または抜け毛掃除部のいずれか一つを任意に選択して係止できるようにし、かつ手入れ本体部材はケーシング内で回動可能に支持された本体構成部の外周に毛梳き部、ブラシ部および抜け毛掃除部がそれぞれ配置されて櫛、ブラシあるいは抜け毛掃除具として使用可能とし、しかも抜け毛掃除部は本体構成部に配置された可撓性を有する板状部材上に、可撓性を有する面状の部材にブラシ部より細目の繊維もしくは金属線が多数植設されている細繊維等植設部材が配置されてなり、しかも本体構成部内にはカム部材を配置すると共に該カム部材はケーシングの両端部に取付けられた側板に位置固定に設け、手入れ本体部材とカム部材とを相対回動させたときカム部材が前記可撓性を有する板状部材に接し抜け毛掃除部を外側に拡開させるようにすると共にケーシング内には前記毛梳き部、ブラシ部または抜け毛掃除部に付着した抜け毛を除去するための抜け毛掻取部材を取付け、さらにケーシングには空気吸引機に接続可能な吸引口を設けて抜け毛、塵埃等を吸引排出できるようにした毛並手入れ具。
Ｂ  Ａ項記載の毛並み手入れ具において、毛梳き部は鋸歯状の櫛状片を設け、ケーシング内に配置すべき抜け毛掻取部材は多数の金属線もしくは繊維を一定方向に植設配列した繊維等配列形抜け毛掻取部材あるいは鋸歯状の部材を備えた鋸歯状形抜け毛掻取部材を設けるようにし、しかも鋸歯状形抜け毛掻取部材として鋸歯状部材を配置したときには手入れ本体部材の回動時に毛梳き部の櫛状片の歯先が鋸歯状形抜け毛掻取部材の歯の間を通過可能にとされ、毛梳き部、ブラシ部または抜け毛掃除部に付着した抜け毛を除去できるようにした毛並手入れ具。
Ｃ  Ａ項もしくはＢ項記載の毛並み手入れ具において、ケーシングの吸引口に中空の把手が設けられ、該把手の端部に空気吸引機を接続可能とした毛並手入れ具。
Ｄ  Ａ項１〜Ｃ項のいずれか１項に記載の毛並手入れ具において、手入れ本体部の基礎をなす本体構成部は所定間隔を隔てた１対の端部部材が３つの連結部材により一体に連結されると共にこの連結部材により略三角柱状をなすように構成されてなり、さらに各連結部材の外側にそれぞれ毛梳き部、ブラシ部および抜け毛掃除部が配置されて手入れ本体部材が構成され、かつ抜け毛掃除部を配置すべき連結部材は可撓性を有する板状部材であり、しかも抜け毛掃除部を外側に拡開させるカム部材は一定の剛性を有する線状材が中間部で所定の曲線状に成形され、かつその両端の真直部分が両端部部材の中心部を貫通することにより手入れ本体部材が回動可能に支持されると共に上記線状部材の真直部分の先端部はケーシングの両端に設けた側板の中心部を貫通し、かつ少なくともその一端部が回動不能に固定されてカム部材が回動できないようにされてなり、さらに前記側板と端部部材のいずれか一方には所定の複数の係止孔を設けると共に他方の部材には前記係止孔に嵌脱可能に嵌合することによって手入れ本体部材を所定位置に係脱可能に固定させ得る係止部材を設けるようにした毛並手入れ具。
Ｅ  Ａ項〜Ｄ項のいずれか１項に記載の毛並手入れ具において、外側に抜け毛掃除部を配置するための、本体構成部の連結部材に代えて直接可撓性を有する面状の部材上に金属線もしくは繊維を植設配置して抜け毛掃除部を構成するようした毛並手入れ具。
Ｆ  Ａ項〜Ｅ項のいずれか１項に記載の毛並手入れ具において、外側にブラシ部を配置するための、本体構成部の連結部材として可撓性を有する板状部材を設けると共に該板状部材上に、可撓性を有する面状の部材に金属線もしくは繊維を植設してなるものを配置してブラシ部を構成し、さらに手入れ本体部材とカム部材とを相対回動させたときカム部材がそれぞれブラシ部と抜け毛掃除部を構成する前記可撓性を有する各板状部材に接しブラシ部と抜け毛掃除部を外側に拡開させるようにした毛並手入れ具。
Ｇ  Ａ項〜Ｆ項のいずれか１項に記載の毛並手入れ具において、外側にブラシ部を配置するための、本体構成部の連結部材に代えて直接可撓性を有する面状の部材上に金属線もしくは繊維を植設配置してブラシ部を構成するようした毛並手入れ具。
Ｈ  Ｄ項〜Ｇ項のいずれか１項に記載の毛並手入れ具において、線状材を中間部で所定形状に曲成し、かつ両端の真直部は手入れ本体部材両端の貫通孔に回動可能に嵌合すると共にケーシング端部を貫通したその端部を折り曲げてケーシング端部に回転不能に取り付けるようにしたカム部材に代えて、ケーシング端部に固定した真直状の軸状材もしくはパイプ材にカムとして作用する部材を設けてカム部材とし、しかもカムとして作用する部材として、線状材を曲成してカムの輪郭を形成したもの、板材でカムの輪郭を形成したものもしくは立体的なカム輪郭を有するものを取り付けるようにした毛並手入れ具。
Ｉ  Ａ項〜Ｈ項のいずれか１項に記載の毛並手入れ具において、外側にそれぞれ毛梳き部、ブラシ部および抜け毛掃除部を配置するための、本体構成部の各連結部材は一定の剛性を備え、かつカム部材を廃止するようにした毛並手入れ具。
ここに、「繊維」とは植物性繊維に限らず動物の毛、合成樹脂製の糸（例えば釣り糸等）、その他糸状のもの、線状のものも含むものである。
【発明の効果】
【０００７】
本発明の犬等のペット用の毛並手入れ具は、手入れ本体部材の外周に櫛状部を有する毛梳き部、ブラシ部および抜け毛掃除部を配置しているので、これを選択的に使用することにより、一つの手入れ具で櫛、ブラシあるいは抜け毛掃除部として使用できる利点がある。また、毛梳き部、ブラシ部および抜け毛掃除部を配置している手入れ本体部材を、必要な角度だけ回動しこれらを選択的に係脱可能に固定して使用するので、それぞれ単独の毛梳き部としての櫛、ブラシ、抜け毛掃除具をそれぞれ取り揃えなくてもよく、毛並み手入れの作業能率を向上させ得る利点がある。さらに、ペットの毛の中にある抜け毛を取り除く抜け毛掃除部を設けているので抜け毛の掃除が容易であるという利点がある。さらにまた、ケーシング内に抜け毛掻取部材を設けているので、毛梳き部、ブラシ部および抜け毛掃除部に付着した抜け毛を容易に除去できる利点がある。また、ケーシングに取り付けた中空の把手は、掃除機等に接続可能とされているので抜け毛、塵埃等を吸引除去でき衛生的であるという利点がある。
【発明を実施するための最良の形態】
【０００８】
毛梳きと、ブラッシングと、生えている毛の中にある抜け毛の掃除とを、一つの手入れ具ですることが可能で、しかも毛の中にある抜け毛の掃除が容易で、毛並手入れを衛生的にかつの作業能率を向上させ得る犬その他のペットの毛並手入れ具を提供するという本発明の目的を、ケーシング内で外周部に毛梳き部とブラシ部と抜け毛掃除部とを有する手入れ本体部材を回動可能に、かつケーシングの外周部で軸線方向に形成された開口部で係脱可能に固定し毛梳き部、ブラシ部または抜け毛掃除部を任意に選択的に使用できるようにすると共に、ケーシング内には抜け毛掻取部材を設け、かつカム部材で抜け毛掃除部の構成要素である繊維等の植設部を外方に拡開させて、ケーシング内の各部に付着した抜け毛や塵埃を掻き取り易くすると共に、この抜け毛、塵埃等をケーシングに設けた中空の把手に連結した掃除機で吸引除去できるように構成して達成した。
【実施例１】
【０００９】
図１において、１０は毛並手入れ具であり、ケーシング１２内に手入れ本体部
材１４が回動可能に配置されて構成される。ケーシング１２は１対の固定側板１６，１８の外周部に、外殻２０がその両端部をねじ止めされて構成される。なお、ケーシング１２は図１に示すようにその軸心に沿って所定幅に開口されている。
【００１０】
固定側板１６、１８は図２，図３に示すようにそれぞれ中心部に貫通孔２２、２４を有する円板状部材の外周部の一部が外殻２０の板厚分だけ小径となるように段付状に形成されると共に複数の雌ねじ部が設けられ、外殻２０をねじ止め可能とされている。また、同図に示すように前記円板状部材の下端側が切欠かれると共にその下端部の一部は外殻２０の板厚分の深さで切り欠かれた状態に段付き状に形成され、図１（ロ）に示すように外殻２０の下端部両端の折り曲げられた部分がねじ止めできるようにされている。なお、外殻２０の両折り曲げ部分の間がケーシング１２の開口部をなしている。  
【００１１】
固定側板１６の外側には、図２に示すように貫通孔２２の周りにボス部２６が突設されると共にボス部２６には貫通孔２２の径よりやや大き目のスリット２８が形成され、後述するカム部材６０の真直部分を貫通孔２２に挿通後折り曲げてカム部材の廻り止めの役割をさせている。なお、ボス部を設けるのを止め、折り曲げてカム部材の端部を別途止めるようにしてもよい。固定側板１８には後述する係止部材としてのばね部材６６を挿通後折り曲げて止めるための２つの孔３０が設けられている。
【００１２】
手入れ本体部材１４は図１、図４に示すように１対の回動側板３２，３４が、３つの連結板３６、３８、４０により連結されなる本体構成部に、毛梳き部としての櫛状部材４２、ブラシ部材４４およびペットに付着しあるいはペットの毛内にある抜け毛を取り除くための細繊維等植設部材としての抜け毛掃除部材４６を設けて構成される。
【００１３】
回動側板３２、３４は図５，図６に示すようにそれぞれ中心部付近に貫通孔５２、５４を有する円板状部の外周に細幅のフランジ状部が形成されると共に円板状部の側面に三角状突部５６、５８が形成されている。この両三角状突部は図８、図９、図４に示す連結部材としての連結板３６、３８、４０により一体に連結される。すなわち、連結板３６は三角状突部５６，５８の辺Ｐ，Ｕ側に、図９に示すやや厚目の連結板３８は辺Ｒ，Ｓ側に、連結板４０は辺Ｑ，Ｔ側に、それぞれねじ止めして取り付けられる。
【００１４】
なお、図５、図６に示すように、この三角状突部は略正三角形に近い形状をなしているが、貫通孔５２、５４はそれぞれ三角状突部５６、５８の中心Ｇにはなく、抜け毛掃除部材４６を配置すべき連結板３６の取付側（辺Ｐ側、Ｕ側）に同じ所定距離だけ偏心されている。その状態を図１６（イ）に示す。
【００１５】
回動側板３２，３４の中心部付近に設けた貫通孔５２、５４に、図７に示す線状材としての鋼線からなるカム部材６０両端の真直部が挿通され、さらに真直部の端部は固定側板１６，１８の貫通孔２２，２４に挿通され、固定側板１６側に挿通されたその一端部はスリット２８内で折り曲げられると共に先端部を廻止め部材６２でねじ止めする等して固定される。これにより手入れ本体部材１４はカム部材６０の両端部により回動可能に支持されることになる。
【００１６】
連結板３６は図８に示すように長手状で中間部の幅を狭くした薄肉部材であり、
後述するカム部材６０が当接すると容易に曲がり、当接しなくなると自然に原形に復する可撓性と弾性を有する部材である。ここでは薄手の金属板を使用している。連結板３６上には、可撓性を有する面状部材に、やや細目の繊維状部材あるいは金属線を植設した抜け毛掃除部材４６が接着あるいはねじ止めされる。
【００１７】
連結板３６に代えて、一定の可撓性と弾性を有する部材、例えばプラスチック板、ゴム板等を使用することも可能である。ゴム板の場合は、例えば卓球のラケツトに使用するゴム板程度のものでもよい。なお、対摩耗性の低い他の材質のものを使用する場合は、カム部材６０による接触摩耗を少なくするために、連結板３６の裏面側に例えば図１４（イ）、（ロ）に示すように可撓性と弾性のある薄肉の金属板４８やピアノ線５０等を格子状に配置してもよい。  
【００１８】
連結板３８は図９に示すように、連結板３６と同様な形状をなしているが、やや肉厚で一定の剛性を有する部材である。連結板３８上には、面状の部材に繊維状部材を植設した図１０に示すブラシ部材４４が接着あるいはねじ止めされる。
連結板４０は、図９に示す連結板３８と同様な形状であるが、さらに剛性の高い部材である。図１に示すように連結板４０上には鋸歯状部が形成された櫛状部材４２が取り付けられている。
【００１９】
手入れ本体部材１４を回動させると、ケーシング１２の開口部の位置に櫛状部材４２，ブラシ部材４４，抜け毛掃除部材４６が現れるようになるが、固定側板１８と回動側板３４との間には手入れ本体部材１４を所定位置に係脱可能に停止させるための停止装置が設けらる。すなわち、回動側板３４の側方に円周方向に略３等分位置に係止孔としての位置決め孔６４を設けると共に、固定側板１８には前記位置決め孔６４に、先端側の突部を係止し得るようにしたばね部材６６が設けられている。
【００２０】
ばね部材６６は、図１５に示すように断面が半円状もしくはこれに類似した形状を有する鋼材の線状体からなり、先端側に突部６５が形成されている。ばね部材６６は突部の反対側の端部を固定側板１８の複数の孔３０に挿通後折り曲げることにより取り付けられる。これにより、ばね部材６６は、その突部６５が回動側板３４の位置決め孔６４に、係止し得る方向に付勢されることになる。
【００２１】
本実施例の毛並手入れ具はこのように構成されているので、前述のようにケーシング１２に対して手入れ本体部材１４を回動させるとケーシングの開口部に櫛状部材４２、ブラシ部材４４、抜け毛掃除部材４６が現れるが、ばね部材６６の突部６５は回動側板３４の任意の位置決め孔６４に係脱可能に係止して手入れ本体部材１４を固定させ得るので、一つの手入れ具で櫛状部として、ブラシ部として、抜け毛掃除部として選択的に使用できる利点がある。また、ペットの毛の中にある抜け毛を取り除く抜け毛掃除部を設けているので抜け毛の掃除が容易であるという利点がある。
【００２２】
ばね部材６６の突部６５が位置決め孔６４に嵌り込み係止されると、手入れ本体部材１４はその位置で停止するが、回動側板１８にさらに強い回転方向の力を加えると係止が外れ次ぎの位置決め孔６４に突部６５が係止しその位置に停止して、位置決めされる。同様にして希望位置で位置決めできる。
【００２３】
ケーシング１２の開口部から両手または片手の親指で回動側板３２，３４に回転方向の力を加えると、手入れ本体部材１４は回動し、図１１に示すように連結板３６の裏面側がカム部材６０に接し、その頂点部分に近づくと連結板３６を押し上げ、その上面側に設けた抜け毛掃除部材４６が外側に押し上げられ、その中間部付近は曲がった状態で拡開し外方に隆起することになる。その隆起量（リフト量）は１〜数ｍｍ程度、好ましくは１〜３ｍｍ程度とする。連結板３６は、カム部材６０に圧接されたとき曲がり易くするため中間部の幅を細くしている。
【００２４】
三角状突部５６，５８の中心（重心）と回動側板３２，３４の中心（重心）は同心で重心Ｇ上に位置するようにされているが、図１６（イ）に示すように、回動中心（貫通孔５２、５４）は前記中心（重心）Ｇから所定距離だけ偏心されている。これにより、連結板３８、４０の裏面側がカム部材６０の頂点部分に接しないようにされている。すなわち、図１６（イ）に示すようにカム部材６０の頂点部の軌跡Ｊは連結板３６に重なるが、連結板３８、４０に干渉しないように決定される。
【００２５】
なお、回動中心を前記中心（重心）Ｇの位置から偏心させないで、連結板３６のみを隆起させるようにすることも可能である。それには図１６（ロ）に示すように、連結板３８、４０に代えて、図１２、図１３に示す中間部が外方に張り出したブラシ部用連結板７６、櫛状部用連結板７８を使用し、その表面側にそれぞれブラシ部４４，櫛状部材４２と同様なブラシ部８０、櫛状部材８２を設けて、それぞれの連結板７６，７８の裏面側がカム部材６０の頂点部分に接しないようにしてもよい。ただし、毛除き刃７４に干渉しないように連結板の中間部を高くした分だけ、ブラシ部８０、櫛状部材８２の高さを低くする必要がある。回動中心の孔明け時に偏心量を気にする必要がなく、カム部材６０の高さＨを加減すればよいので、加工が容易であるという利点がある。
【００２６】
前記実施例の毛並手入れ具は、カム部材６０により抜け毛掃除部材４６のみを外側に隆起させているが、抜け毛掃除部材４６とブラシ部材４４の両方を隆起するようにしてもよい。両部材に付着した抜け毛、塵埃等をさらに除去できる利点がある。それには、図１６（ハ）に示すように、手入れ本体部材１４の回動中心を、中心（重心）Ｇからそれぞれ図５，図６に示す三角状突部５６の辺ＰＲの挟角を２分する方向に、三角状突部５８の辺ＳＵの挟角を２分する方に同じ所定距離だけ偏心すればよい。すなわち、カム部材６０の頂部の軌跡Ｌは連結板７８に重ならない。
【００２７】
また、図１６（ニ）に示すように、回動中心を偏心させないで中心（重心）Ｇに位置させ、カム部材６０の高さＨを変えて抜け毛掃除部材とブラシ部の底面部を外側に押し出しできるようにしてもよい。それには、連結板４０に代えて、図１３に示す櫛状部材用の連結板７８を使用し、カム部材が連結板７８に干渉しないようにする必要がある。すなわち、カム部材６０の頂部の軌跡Ｍは連結板７８に重ならないが、抜け毛掃除部材用の連結板３８とブラシ部用の連結板３６の両
底面部に重なる。
【００２８】
ケーシング外殻２０には、図１に示すように内外に貫通する吸引排出口７２の周りに中空の把手７０が取り付けられ、その他端側は掃除機等の空気吸引装置に連結して、ケーシング１２内の空気を抜け毛等と一緒に吸引排除できるようにされている。
【００２９】
７４は抜け毛掻取部材としての鋸歯状の毛除き刃であり、櫛状部材４２やブラシ部４４，抜け毛掃除部材４６等に付着した抜け毛を取り除くために設けたものである。なお、図１、図１１に示すように、毛除き刃７４は外殻２０内で抜け毛掃除部材４６が盛り上がった位置付近に設けられている。従って、手入れ本体部材１４を回動させて手入れ本体部材各部に付着した抜け毛、塵埃等を除去する際に、特に抜け毛掃除部材４６に付着した抜け毛が毛除き刃７４によく引っ掛かるのでその除去作業が効率的に行われる効果がある。抜け毛掃除部材４６には抜け毛、塵埃等が最も多く付着するのでその効果が大きい。また、ケーシングに取り付けた中空の把手７０は、掃除機等に接続可能とされているので抜け毛、塵埃等を吸引除去でき衛生的であるという利点がある。
【００３０】
図１８は、線状材からなるカム部材６０に代えて、他のカム部材９０を使用した本発明の他の実施例の毛並手入れ具を示す。カム部材９０は、図１９（イ）、（ロ）に示すように真直状のパイプ材９２に、カム作用をなし得るように線状材が所定形状に曲成されてなるカム作用材９４が接着，溶着等により取り付けられたいる。パイプ材９２の両端側はそれぞれ回動側板９６，９８の貫通孔に回動可能に嵌合されると共に、パイプ材９２の両端側はそれぞれ固定側板１００，１０２の貫通孔に挿通され、固定側板１００側の一端部はボス部を貫通する割ピン１０４により固定される。
【００３１】
なお、回動側板９６，９８、固定側板１０２はパイプ材９２が挿通し得るように径を大きくした以外は、前記実施例の固定側板３２，３４、固定側板１８と同一形状である。固定側板１００は、貫通孔とボス部を大きくした点，割ピンを差し込むようにした点，スリットを設けないようにした点以外では、前記固定側板１６と同一形状である。このカム部材９０によれば、パイプ材９２が真直であるから毛並手入れ具の組み付けが容易であり、また分解も容易で内部に抜け毛等が巻付いたときなど、掃除がし易い利点がある。さらに、カム作用部材とバイブ材が別部材で構成されているから、制作時に線状材のみを曲成してなる前記カム部材に比してカム部のリフト量Ｈの調節が容易であるという利点がある。
【００３２】
図２０に示すカム部材１０６は、前記カム部材９０の変形例である。前記カム作用材９４と同様な輪郭を有する同図（ロ）に示す板状のカム作用材１１０を、
同図（ハ）に示すパイプ材１０８に溝部を設けこの溝部にカム作用材１１０を嵌め入れ固定するようにしてもよい。また、前記カム作用材１１０に代えて同図（ニ）に示すように上側輪郭の両側に出張りを設け、断面がきのこ状で、かつその頂部が丸味をもつようにしたカム作用材１１２を使用することも可能である。頂部が丸味を有するので、カムとして連結板３６等に接するとき、しごく作用が小さいので、接触部の耐久性が向上する利点がある。
【００３３】
図２１に示すカム部材１１４は、軸状部材１１６に立体的形状を有するカム作用材１１８を取り付けたものである。頂部の丸味がさらに大きいので、接触抵抗が小さく，耐久性がさらに向上する。
【００３４】
また、本発明のさらに他の実施例として、抜け毛掃除部やブラシ部に引っ掛かる抜け毛等が少ないか、抜け毛等の除去の必要性が強くない場合には、抜け毛掃除部やブラシ部を隆起するための構成を中止することも可能である。すなわち、カム部材を廃止し、かつ各連結板を一定の剛性あるものとする。カム部材は不要で、回動側板の回転軸となるものがあればよい。３つの連結板を三角柱状、三角筒状等の一体形としてもよい。各部の強度を向上させ易い利点がある。また、ばね部材６６に代えて、図１７に示すように板ばねの先端部に係止突部８４を有するばね部材８６を使用してもよい。
【００３５】
前記実施例では、連結板３６は四隅に設けた孔に通したねじで三角状突部５６，５８にねじ止めされるが、連結板３６に代えて図２２（イ）に示す連結板１２０を使用するようにしてもよい。すなわち、連結板１２０は外形は前記連結板３６と同じであるが、その四隅の孔のうち両端部で前寄り側の２つ、もしくは後寄り側の２つの孔を長孔１２２とし、図２２（ロ）に示すように基端側が軸状部で先端側がねじ部をなす段付きねじ１２４を座金１２６を介して長孔１２２に挿通して締め付ける。なお、段付きねじ１２４の軸状部の長さは、締め付けたとき座金１２６の下面と連結板１２０の上面との間に隙間が生じるようにし、カム部材６０が連結板１２０を押し上げた際連結板１２０が無理なく拡開できるようにされている。
【００３６】
段付きねじ１２４に代えて、図２２（ハ）に示すように、長さが段付きねじ１２４の軸状部の長さと同程度のリング状のカラー１２８に通常のねじ１３０を嵌め入れて締め付けるようにし、座金１２６下面と連結板１２０上面との間に所定の隙間ができるようにする。これにより、前記段付きねじ１２４を使用したのと同様な効果を生ずる。
【００３７】
また、ブラシ部材４４を取り付けるための連結板３８もカム部材６０で押し上げるようにしたい場合においては、同様に連結板１２０を使用してもよい。カム部材により連結板が外方に押し上げられ易くなり、抜け毛が毛除き刃７４に引っ掛かり易くなり掃除が容易になる。なお、長孔１２０は連結板１２０の前寄り側、あるいは後寄り側に設けたが、対角方向に設けてもよい。
【００３８】
以上本発明の実施例を説明したが、本発明はこのような実施例に何ら限定されるものではなく、本発明の要旨を変更しない範囲において種々なる実施をし得ることはもちろんである。
【産業上の利用可能性】
【００３９】
本発明の毛並手入れ具は、犬の毛並手入れ具としてのみならず、他の哺乳動物のペットの毛並手入れ具としてに好適に使用できる。
【図面の簡単な説明】
【００４０】
【図１】（イ）、（ロ）は本発明の一実施例を示す縦断面図と横断面図である。
【図２】（イ）、（ロ）は同実施例に使用する第１の部品の断面図と正面図である。
【図３】（イ）、（ロ）は同実施例に使用する第２の部品の断面図と正面図である。
【図４】同実施例に使用する一組付構成体の一部を破断した正面図である。
【図５】（イ）は同実施例に使用する第３の部品の正面図、（ロ）は（イ）におけるＢＯＢ断面図である。
【図６】（イ）は同実施例に使用する第４の部品の正面図、（ロ）は（イ）におけるＣＯＣ断面図である。
【図７】（イ）、（ロ）は同実施例に使用する第５の部品の正面図と平面図である。
【図８】同実施例に使用する第６の部品の斜視図である。
【図９】同実施例に使用する第７の部品の斜視図である。
【図１０】（イ）、（ロ）は同実施例に使用する第８の部品の正面図と平面図である。
【図１１】同実施例における使用状態を示す説明図である。
【図１２】（イ）、（ロ）は図９に記載する部品の変形例を示す平面図と正面図である。
【図１３】（イ）、（ロ）は図１に記載されれた一部品の変形例を示す平面図と正面図である。
【図１４】（イ）、（ロ）は同実施例に適用可能な部品の説明図である。
【図１５】（イ）、（ロ）は同実施例に使用する別の部品の説明図である。
【図１６】（イ）〜（ハ）は同実施例の手入れ本体部材の回動中心の位置を変えた場合の    説明図である。
【図１７】（イ）、（ロ）は同実施例に使用するさらに別の部品の説明図である。
【図１８】（イ）、（ロ）は同実施例に他の部材を使用した場合の縦断面図と横断面図である。
【図１９】（イ）、（ロ）は同実施例に使用する上記部品のさらなる変形例を示す正面図と側面図である。
【図２０】（イ）〜（ハ）は同実施例に使用する上記部品のさらに別の変形例を示す正面図とその各構成部品を示す説明図である。
【図２１】（イ）、（ロ）は同実施例に使用する前記部品のさらなる変形例を示す正面図と側面図である。
【図２２】（イ）は同実施例に使用するさらに別の部品の平面図、（ロ）、（ハ）はその一部を拡大した使用状態を示す説明図である。
【符号の説明】
【００４１】
１０  毛並手入れ具
１２  ケーシング
１４  手入れ本体部材
１６  固定側板
１８  固定側板
２０  外殻
２２  貫通孔
２４  貫通孔
３２  回動側板
３４  回動側板  
３６  連結板
３８  連結板
４０  連結板
４２  櫛状部材
４４  ブラシ部材
４６  抜け毛掃除部材  
５２  貫通孔        
５４  貫通孔
５６  三角状突部
５８  三角状突部
６０  カム部材
７０  把手
７４  毛除き刃
７６  ブラシ部用連結板
７８  櫛状部用連結板
８０  ブラシ部材
８２  櫛状部材
９０  カム部材
９６  回動側板
９８  回動側板
１００  固定側板
１０２  固定側板
１０６  カム部材
１１４  カム部材
【図１】
2009055867.tif 000003
【図２】
2009055867.tif 000004
【図３】
2009055867.tif 000005
【図４】
2009055867.tif 000006
【図５】
2009055867.tif 000007
【図６】
2009055867.tif 000008
【図７】
2009055867.tif 000009
【図８】
2009055867.tif 000010
【図９】
2009055867.tif 000011
【図１０】
2009055867.tif 000012
【図１１】
2009055867.tif 000013
【図１２】
2009055867.tif 000014
【図１３】
2009055867.tif 000015
【図１４】
2009055867.tif 000016
【図１５】
2009055867.tif 000017
【図１６】
2009055867.tif 000018
【図１７】
2009055867.tif 000019
【図１８】
2009055867.tif 000020
【図１９】
2009055867.tif 000021
【図２０】
2009055867.tif 000022
【図２１】
2009055867.tif 000023
【図２２】
2009055867.tif 000024